(57)【要約】【課題】「１世代のみコピー可」のコンテンツに対して、ユーザの利便性と著作権者の権利保護が両立を達成した蓄積記録装置を提供する。【解決手段】蓄積手段と、少なくとも１つ以上のムーブに対応した記録媒体ドライブ手段とを備え、受信したコンテンツを、いずれかの記録媒体へムーブ可能な蓄積ファイルと、特定の１つの記録媒体へのみムーブが可能なムーブ用蓄積ファイルとして蓄積手段に蓄積する。【選択図】図１
2006244603.tif 000002
【特許請求の範囲】
【請求項１】
蓄積手段と、少なくとも１つ以上のムーブに対応した記録媒体ドライブ手段とを備え、
受信したコンテンツを、蓄積ファイルと、特定の１つの記録媒体へのみムーブが可能なムーブ用蓄積ファイルとして蓄積手段に蓄積する蓄積記録装置。
【請求項２】
蓄積手段と、少なくとも１つ以上のムーブに対応した記録媒体ドライブ手段とを備え、
受信したコンテンツを、いずれかの記録媒体へムーブ可能な蓄積ファイルと、特定の１つの記録媒体へのみムーブが可能なムーブ用蓄積ファイルとして蓄積手段に蓄積する蓄積記録装置。
【請求項３】
前記蓄積ファイル、および、前記ムーブ用蓄積ファイルが再生可能である請求項１または２記載の蓄積記録装置。
【請求項４】
前記蓄積ファイルは再生可能であり、前記ムーブ用蓄積ファイルは再生不可能である請求項１または２記載の蓄積記録装置。
【請求項５】
前記蓄積ファイルが再生不能化された場合、前記ムーブ用蓄積ファイルも再生不能化される請求項１または２記載の蓄積記録装置。
【請求項６】
前記蓄積ファイルは再生可能であり、前記ムーブ用蓄積ファイルは再生不可能であり、
前記蓄積ファイルが再生不能化された場合に、前記ムーブ用蓄積ファイルのうちの１つを再生可能とする請求項１または２記載の蓄積記録装置。
【請求項７】
前記蓄積ファイルは再生可能であり、前記ムーブ用蓄積ファイルは再生不可能であり、前記蓄積ファイルへの編集結果を前記ムーブ用蓄積ファイルに適用する請求項１または２記載の蓄積記録装置。
【請求項８】
前記記録媒体ドライブ手段を１つ備え、前記ムーブ用蓄積ファイルも１つである請求項１から７記載の蓄積記録装置。
【請求項９】
前記記録媒体ドライブ手段を２つ以上備え、前記ムーブ用蓄積ファイルは２つ以下である請求項１から７記載の蓄積記録装置。
【請求項１０】
その時点でムーブ可能な状態にある記録媒体を表示する請求項１から７記載の蓄積記録装置。
【請求項１１】
受信したコンテンツを、蓄積ファイルと、内蔵する記録媒体ドライブ手段に対応する記録媒体の内の特定の１つの記録媒体へのみムーブが可能なムーブ用蓄積ファイルとして蓄積する蓄積記録方法。
【請求項１２】
受信したコンテンツを、内蔵する記録媒体ドライブ手段に対応する記録媒体の内のいずれかの記録媒体へムーブ可能な蓄積ファイルと、内蔵する記録媒体ドライブ手段に対応する記録媒体の内の特定の１つの記録媒体へのみムーブが可能なムーブ用蓄積ファイルとして
蓄積する蓄積記録方法。
【請求項１３】
前記蓄積ファイル、および、前記ムーブ用蓄積ファイルが再生可能である請求項１１または１２記載の蓄積記録方法。
【請求項１４】
前記蓄積ファイルは再生可能であり、前記ムーブ用蓄積ファイルは再生不可能である請求項１１または１２記載の蓄積記録方法。
【請求項１５】
前記蓄積ファイルが再生不能化された場合、前記ムーブ用蓄積ファイルも再生不能化される請求項１１または１２記載の蓄積記録方法。
【請求項１６】
前記蓄積ファイルは再生可能であり、前記ムーブ用蓄積ファイルは再生不可能であり、前記蓄積ファイルが再生不能化された場合に、前記ムーブ用蓄積ファイルのうちの１つを再生可能とする請求項１１または１２記載の蓄積記録方法。
【請求項１７】
前記蓄積ファイルは再生可能であり、前記ムーブ用蓄積ファイルは再生不可能であり、
前記蓄積ファイルへの編集結果を前記ムーブ用蓄積ファイルに適用する請求項１１または１２記載の蓄積記録方法。
【請求項１８】
前記記録媒体ドライブ手段を１つ備え、前記ムーブ用蓄積ファイルも１つである請求項１１から１７記載の蓄積記録方法。
【請求項１９】
前記記録媒体ドライブ手段を２つ以上備え、前記ムーブ用蓄積ファイルは２つ以下である請求項１１から１７記載の蓄積記録方法。
【請求項２０】
その時点でムーブ可能な状態にある記録媒体を表示する請求項１から１７記載の蓄積記録方法。
【発明の詳細な説明】
【技術分野】
【０００１】
本発明は、コンテンツの蓄積およびムーブができる蓄積記録方法および蓄積記録装置に関するものである。
【背景技術】
【０００２】
近年、コンテンツのディジタル化が進み、国内外のＢＳ、ＣＳ、地上波などの放送やＣＡＴＶ、それを記録するテープ、ディスクなどがディジタル化されている。
【０００３】
ディジタル伝送やディジタル記録は、アナログ伝送アナログ記録に比べ、圧縮技術を用いることで高密度化が可能である。たとえば、デジタル放送では、アナログテレビ放送（標準画質：有効走査線数４８０本インターレース方式、以下４８０ｉと略称する）１チャンネル分の電波を用いて３チャンネル分の標準画質ディジタル映像データを伝送できる。また、アナログテレビ放送１チャンネル分の電波を使えば、高画質（有効走査線数４８０本プログレッシブ方式：４８０ｐ、有効走査線数７２０本プログレッシブ方式：７２０ｐ、有効走査線数１０８０本インターレース方式：１０８０ｉなど）ディジタル映像データを伝送することができる。音声もディジタル圧縮を用いて、５．１ｃｈ（右前、中央前、左前、右後、左後の５チャンネルに加え、前記５チャンネルに比べて周波数帯域が１／１０程度（０〜２００Ｈｚ）で０．１チャンネルと数えられる低音で構成される）のデータを送ることができる。さらに、映像音声に加えて、文字や制御情報、プログラムなどのデータも伝送でき、アナログとは違う楽しみ方ができる。
【０００４】
また、ディジタルコンテンツはディジタルデータであるため、アナログのように劣化することなく複製できるメリットがある。
【０００５】
しかし、無制限なコンテンツの複製は著作権を侵害することになる。このため、ディジタル機器には著作権保護機能が要求されている。
【０００６】
たとえば、国内のＢＳ、広帯域ＣＳ、地上デジタル放送においては、保護対象コンテンツは非特許文献１および２に記載された方法で保護しなければならない。
【０００７】
すなわち、放送されるＭＰＥＧ−ＴＳストリームに含まれるデジタルコピー制御記述子、および、コンテント利用記述子により保護が指定されているコンテンツは、受信機に内蔵される蓄積手段（たとえば、ハードディスク装置、半導体メモリなど）に蓄積する場合、当該機器のみで再生ができるよう、暗号化などを施さなければならない。さらに、「１世代のみコピー可」として放送されたコンテンツは、「再コピー禁止」に更新して蓄積される。「再コピー禁止」コンテンツは、非特許文献１および２で承認されている記録媒体１つだけに対してムーブすることも許されている。ムーブされた場合にはムーブ元コンテンツは再生不能化される。また、「１世代のみコピー可」として放送されたコンテンツは、非特許文献１および２で承認されている記録媒体２つまでに「再コピー禁止」に更新して直接記録することも許されている。
【０００８】
図１９は上記の記録方法に従って、デジタル放送コンテンツを記録する従来の蓄積記録装置のブロックである。図１９で、１９０１は蓄積記録装置である。１９０２はデジタル放送信号を受信し、ＭＰＥＧ２−パーシャルトランスポートストリーム（パーシャルＴＳ）を出力する受信手段、１９０３はパーシャルＴＳを蓄積する蓄積手段、１９０４は蓄積手段１９０３に蓄積された蓄積ファイル、
１９０７は蓄積ファイル１９０４を第１の記録媒体１９０８に書く第１の記録媒体第ドライブ手段、１９０８は第１の記録媒体、１９０９は第１の記録媒体１９０８に書き込まれた第１の記録ファイル、
１９１０はパーシャルＴＳを第２の記録媒体１９１１に書く第２の記録媒体第ドライブ手段、１９１１は第２の記録媒体、１９１２は第２の記録媒体１９１１に書き込まれた第２の記録ファイル、
１９１３はパーシャルＴＳを第３の記録媒体１９１４に書く第３の記録媒体ドライブ手段、１９１４は第３の記録媒体、１９１５は第３の記録媒体１９１４に書き込まれた第３の記録ファイル、
１９１６は蓄積ファイル１９０４を再生する再生手段、１９１７はユーザインターフェイス手段である。
【０００９】
以上のように構成された従来の蓄積記録装置の動作について説明する。
【００１０】
受信手段１９０２が出力するパーシャルＴＳのうち、ストリームに含まれるデジタルコピー制御記述子、および、コンテント利用記述子により保護が指定されているコンテンツは、蓄積手段１９０３に、蓄積記録装置１９０１のみで再生ができるよう暗号化を施し、蓄積ファイル１９０４として蓄積される。さらに、デジタルコピー制御記述子が「１世代のみコピー可」であるコンテンツは、「再コピー禁止」に更新して蓄積される。蓄積ファイル１９０４のフォーマットは特に限定されていない。パーシャルＴＳのままでもよいし、プログラムストリーム（ＰＳ）、あるいは独自フォーマットに変換してもよい。また、解像度、ビットレートなどの変換も行ってよい。
【００１１】
「再コピー禁止」として蓄積された蓄積ファイル１９０４は、第１の記録媒体ドライブ手段１９０７を介して第１の記録媒体１９０８上に、記録ファイル１９０９としてムーブされる。第１の記録媒体１９０８は、非特許文献１および２で承認されているコンテンツ保護方式に対応した記録媒体に限られる。ムーブされた場合にはムーブ元である蓄積ファイル１９０４は再生不能化される。
【００１２】
また、デジタルコピー制御記述子が「１世代のみコピー可」であるコンテンツは、第２の記録媒体ドライブ手段１９１０を介して、第２の記録媒体１９１１上に第２の記録ファイル１９１２として記録される。さらに、第３の記録媒体ドライブ手段１９１３を介して、第３の記録媒体１９１４上に第３の記録ファイル１９１５として記録される。第２の記録媒体１９１１および第３の記録媒体１９１４は、先に述べた非特許文献１および２で承認されている記録媒体である。
【００１３】
なお、図１９では説明を簡単にするために、蓄積ファイル１９０４は第１の記録媒体１９０８にしかムーブできない構成になっているが、ムーブ先が一つに限定できれば第１の記録媒体１９０８、第２の記録媒体１９１１、または、第３の記録媒体１９１４のいずれにムーブできても構わない。また、ムーブ先記録媒体をユーザインターフェイス１９１７を介してユーザに指定させることも可能である。
【００１４】
また、蓄積ファイル１９０４は再生手段１９１６を介して再生される。ユーザインターフェイス手段１９１７は、再生手段１９１６の出力信号に必要に応じて操作情報などを重畳し、ＡＶ信号として出力する。
【非特許文献１】ARIB TR-B14 「地上デジタルテレビジョン放送運用規定  技術資料」  第８編  ６章〜８章  ２．２版 平成１６年１２月１４日  社団法人電波産業会
【非特許文献２】ARIB TR-B15 「BS/広帯域CSデジタル放送運用規定  技術資料」  第８編  ６章〜８章  ３．２版 平成１６年１２月１４日  社団法人電波産業会
【発明の開示】
【発明が解決しようとする課題】
【００１５】
しかしながら、従来の蓄積記録装置では蓄積手段に蓄積できるのは１つのファイルだけであり、したがって、１つの記録媒体にしかムーブできない。
【００１６】
蓄積手段には放送されたコンテンツが高解像度（ＨＤ）のまま蓄積できるため、高解像度（ＨＤ）コンテンツを再生して楽しむことができる。しかし、記録媒体によっては、フォーマットやビットレートの制約により標準解像度（ＳＤ）以下に変換して記録するものもある。このような記録媒体にムーブした場合、ＨＤ画質を楽しむことができなくなる。
【００１７】
また、記録媒体によっては、一旦記録するとその媒体から別の記録媒体にムーブできないものもある。ムーブする媒体によっては、たとえばＤ−ＶＨＳのように、ポータブル使用に適さないものもあり、使い方が制限される。
【００１８】
また、蓄積手段は一般に大容量かつ高速アクセス可能であり、放送コンテンツを蓄積手段に録り貯めておき、見たいものを好きな時間に楽しめる、という利便性がある。一方蓄積手段は故障により録り貯めたコンテンツが全滅する危険がある。このため、保存しておきたいコンテンツは記録媒体にムーブすることになるが、一般に記録媒体は蓄積手段に比べて容量が小さく、アクセスも遅く、使い勝手が悪くなる。よって従来の蓄積記録装置では利便性と安全性の両立が困難である。
【００１９】
従来の蓄積記録装置でも、蓄積と同時に記録媒体へ直接記録することは許されているが、一般に記録媒体の容量は蓄積媒体の容量に比べて少なく、記録できるコンテンツが限られ、蓄積手段に蓄積する場合に比べて使い勝手が悪い。さらに、一度だけ書き込める記録媒体では、一旦記録してしまった記録媒体は、使い回しもできず、不経済である。
【００２０】
ただし、蓄積手段からの制約のないコピーを許すと、複製したコンテンツを販売する者が現れるなど、著作権者の権利の侵害を助長する恐れもある。
【００２１】
本発明は、前記従来の課題を解決するもので、ユーザの利便性と著作権者の権利保護との両立を達成した蓄積記録装置を提供することを目的とする。
【課題を解決するための手段】
【００２２】
前記従来の課題を解決するため、本発明の蓄積記録装置は、蓄積手段と、少なくとも１つ以上のムーブに対応した記録媒体ドライブ手段とを備え、受信したコンテンツを、蓄積ファイルと、特定の１つの記録媒体へのみムーブが可能なムーブ用蓄積ファイルとして蓄積手段に蓄積する。
【００２３】
また、本発明の蓄積記録装置は、蓄積手段と、少なくとも１つ以上のムーブに対応した記録媒体ドライブ手段とを備え、受信したコンテンツを、いずれかの記録媒体へムーブ可能な蓄積ファイルと、特定の１つの記録媒体へのみムーブが可能なムーブ用蓄積ファイルとして蓄積手段に蓄積する。
【発明の効果】
【００２４】
本発明の蓄積記録装置によれば、蓄積ファイルとムーブ用蓄積ファイルとを用いることにより、ユーザの利便性と著作権者の権利保護との両立を達成した蓄積記録装置を提供することができる。すなわち、最終的に残るコンテンツ数は蓄積ファイルとムーブ用蓄積ファイルの総数によって制限され、著作権者の権利が適切に保護される。一方、ユーザは、ムーブ用蓄積ファイルを対応する記録媒体にムーブした後も、蓄積記録装置に蓄積ファイルが残り、受信した品質のままのコンテンツを楽しむことができる。また、受信したコンテンツをいくつかの記録媒体に記録でき、使い勝手の制約が緩和される。
【発明を実施するための最良の形態】
【００２５】
以下本発明を実施するための最良の形態について図面を参照しながら説明する。
【００２６】
まず、以下の説明で用いる用語について説明する。
【００２７】
記録蓄積装置に内蔵される蓄積手段（たとえばハードディスク装置、半導体メモリ装置など）にコンテンツを記録することを「蓄積」と呼ぶ。これに対してリムーバブル記録媒体（以下の説明で用いる第１、２，３の記録媒体など）に記録することを「記録」と呼ぶ。
【００２８】
ムーブとは、蓄積または記録されているコンテンツを別の蓄積媒体、記録媒体に複製し、複製元のコンテンツを再生不能化することを言う。媒体によってムーブ元になることができるものとできないものがある。たとえば、ＨＤＤ装置、ＳＤメモリカード、メモリスティックなどはムーブ元となりうるが、ＤＶＤ−ＲＡＭ、ＤＶＤ−ＲＷ、ＤＶＤ−Ｒ、ＢＤ−ＲＥ、Ｄ−ＶＨＳなどはムーブ元となり得ない。
【００２９】
ファイルの再生不能化とは、ファイルの削除、ファイルの管理情報中の再生可否情報を再生否にすること、暗号化コンテンツの場合暗号鍵の削除など、ファイルを再生できなくする方法一般を指す。必ずしも削除を意味するわけではない。
【００３０】
（実施の形態１）
実施の形態１は、蓄積ファイルおよびムーブ用蓄積ファイルの両方が再生可能であり、蓄積ファイルをムーブした後もムーブ用蓄積ファイルがそのまま残る例である。
【００３１】
図１は、本発明装置の実施の形態１のブロック図である。１０１は、蓄積記録装置である。１０２はデジタル放送を受信し、コンテンツとしてＭＰＥＧ２−パーシャルトランスポートストリーム（パーシャルＴＳ）を出力する受信手段、１０３はコンテンツを蓄積する蓄積手段、１０４は蓄積ファイル、１０５は第１のムーブ用蓄積ファイル、１０６は第２のムーブ用蓄積ファイル、
１０７は蓄積ファイル１０４を第１の記録媒体１０８に記録する第１の記録媒体ドライブ手段、１０８は第１の記録媒体、１０９は第１の記録媒体１０８上に記録された第１の記録ファイル、
１１０は第１のムーブ用蓄積ファイル１０５を第２の記録媒体１１１に記録する第２の記録媒体ドライブ手段、１１１は第２の記録媒体、１１２は第２の記録媒体１１１上に記録された第２の記録ファイル、
１１３は第２のムーブ用蓄積ファイル１０６を第３の記録媒体１１４に記録する第３の記録媒体ドライブ手段、１１４は第３の記録媒体、１１５は第３の記録媒体１１４上に記録された第３の記録ファイル、
１１６は蓄積手段１０３に蓄積されたファイルを再生する再生手段、１１７はユーザインターフェイス手段である。
【００３２】
第１の記録媒体１０８、第２の記録媒体１１１、および、第３の記録媒体１１４は、非特許文献１および２で承認されているコンテンツ保護方式に対応した記録媒体に限られる。たとえば、Content Protection System for Blu-ray Disc Rewritable (CPS for BD-RE)に対応したブルーレイディスク（ＢＤ）、Ｄ−ＶＨＳフォーマットに対応したＤ−ＶＨＳカセット、Content Protection for Recordable Media  (CPRM)に対応したＤＶＤ−ＲＡＭ、ＤＶＤ−ＲＷ、または、ＤＶＤ−Ｒ、MagicGate Type-R for Secure Video Recording（MG-R(SVR) ）for Memory Stick PROに対応したメモリースティック、MagicGate Type-R for Secure Video Recording（MG-R(SVR) ）for Hi-MDに対応したＨｉ−ＭＤ、Content Protection for Recordable Media  (CPRM)に対応したＳＤメモリカード、などである。今後新たな記録媒体やコンテンツ保護方式が承認されれば、それらも使用できる。なお、保護が指定されているコンテンツを上記記録媒体に記録するときは、必ずそれぞれのコンテンツ保護方式で保護しなければならない
以上のように構成された実施の形態１の蓄積記録装置１０１の動作を説明する。
【００３３】
受信手段１０２が出力するパーシャルＴＳは、ストリームに含まれる記述子により保護が指定される。保護を指定する状態としては、（１）制約条件なしにコピー可、ただし出力保護する、（２）１世代のみコピー可、（３）コピー禁止、の３つがある。さらに保護を指定としない状態として（４）制約条件なしにコピー可、も定義されている。ここで、保護を指定する状態のうち（１）制約条件なしにコー可、ただし出力保護する、とは、コピー数、コピー世代制限はないが、許可された記録媒体、蓄積手段、伝送媒体上で暗号などにより保護され、許可された機器のみで再生、複製が行われる状態を示す。
【００３４】
保護が指定されているコンテンツは、蓄積手段１０３に、蓄積記録装置１０１のみで再生ができるよう暗号化を施し、蓄積ファイル１０４として蓄積される。「１世代のみコピー可」であるコンテンツは、蓄積されるときに「再コピー禁止」に更新される。蓄積ファイル１０４のフォーマットは特に限定されていない。パーシャルＴＳのままでもよいし、プログラムストリーム（ＰＳ）、あるいは独自フォーマットに変換してもよい。また、解像度、ビットレートなどの変換も行ってよい。
【００３５】
また、受信手段１０２が出力するパーシャルＴＳのうち、「１世代のみコピー可」のコンテンツは、蓄積手段１０３に、「再コピー禁止」に更新して、蓄積記録装置１０１のみで再生ができるよう暗号化を施し、第１のムーブ用蓄積ファイル１０５、および第２のムーブ用蓄積ファイル１０６として蓄積される。ムーブ用蓄積ファイルについては、後で説明する。
【００３６】
「再コピー禁止」として蓄積された蓄積ファイル１０４は、第１の記録媒体ドライブ手段１０７を介して第１の記録媒体１０８上に、記録ファイル１０９としてムーブされる。ムーブにあたり、第１の記録媒体ドライブ手段１０７は、必要に応じて蓄積ファイル１０４のフォーマット、解像度、ビットレートなどを変換する。ムーブされた場合にはムーブ元である蓄積ファイル１０４は再生不能化される。
【００３７】
なお、図１では蓄積ファイル１０４は第１の記録媒体１０８にしかムーブできない構成になっているが、ムーブ先が一つに限定できれば他の記録媒体にムーブできても構わない。また、ムーブ先記録媒体をユーザインターフェイス手段１１７を介してユーザに指定させることも可能である。さらに、蓄積ファイル１０４のムーブ先は、ムーブに対応した伝送媒体であってもよい。たとえば、伝送媒体としてコンテンツ保護方式ＤＴＣＰ（Digital Transmission Content Protection）に対応したＩＥＥＥ１３９４バスを用いることも可能である。
【００３８】
「再コピー禁止」として蓄積された第１のムーブ用ファイル１０５は、第２の記録媒体ドライブ手段１１０を介して第１の記録媒体１１１上に、第２の記録ファイル１１２としてムーブされる。ムーブにあたり、第２の記録媒体ドライブ手段１１０は、必要に応じて第１のムーブ用蓄積ファイル１０５のフォーマット、解像度、ビットレートなどを変換する。ムーブされた場合にはムーブ元である第１のムーブ用蓄積ファイル１０５は再生不能化される。第１のムーブ用蓄積ファイル１０５は第２の記録媒体１１１上に第２の記録ファイル１１２としてムーブする以外はムーブができない。
【００３９】
「再コピー禁止」として蓄積された第２のムーブ用ファイル１０６は、第３の記録媒体ドライブ手段１１３を介して第３の記録媒体１１４上に、第３の記録ファイル１１５としてムーブされる。ムーブにあたり、第３の記録媒体ドライブ手段１１３は、必要に応じて第２のムーブ用蓄積ファイル１０６のフォーマット、解像度、ビットレートなどを変換する。ムーブされた場合にはムーブ元である第２のムーブ用蓄積ファイル１０６は再生不能化される。第２のムーブ用蓄積ファイル１０６は第３の記録媒体１１４上に第３の記録ファイル１１５としてムーブする以外はムーブができない。
【００４０】
また、蓄積ファイル１０４、第１のムーブ用蓄積ファイル１０６、第２のムーブ用蓄積ファイル１０７は再生手段１１６を介して再生される。具体的は、蓄積手段１０３上で暗号記録されいるファイルを復号化し、それぞれのフォーマットに従いデコードしてベースバンド信号を生成する。ユーザインターフェイス手段１１７は、再生手段１１６の出力信号に必要に応じて操作情報などを重畳し、ＡＶ信号として出力する。また、表示手段を内蔵した機器では直接ＡＶ信号を表示する。出力、表示については後で説明する。
【００４１】
ムーブ用蓄積ファイルについて説明する。ムーブ用蓄積ファイルは、ムーブ先である記録媒体にしかムーブできないように蓄積されたファイルである。たとえば、ファイルヘッダにムーブ先として当該記録媒体を特定する情報を記録しておき、この特定情報に従った記録媒体にしかムーブしないように制御される。なお、特定情報も改竄されないよう暗号などで保護する。
【００４２】
さらに、ムーブ用蓄積ファイルは、当該記録媒体の記録フォーマット（アプリケーションフォーマット）または、当該記録媒体の記録フォーマットに変換する過程の途中状態のフォーマットで蓄積されてもよい。たとえば当該記録媒体がＤＶＤ−ＲＡＭであり、記録フォーマットがビデオレコーディングフォーマット（以下ＶＲフォーマットと称す）の場合には、パーシャルＴＳをＰＳに変換し、さらにＶＲフォーマットで用いられるパック／パケット構造にする。そして、パック／パケット構造にしたコンテンツを、乱数発生手段によって生成した鍵を用い、ＣＰＲＭで使用されているＣ２暗号で暗号化しておく。（ただし、既にＣＰＲＭ記録されているＤＶＤ−ＲＡＭに追記する場合には、追記コンテンツも先のＣＰＲＭ記録の時にＤＶＤ−ＲＡＭ上に記録された暗号鍵情報を使って暗号化する。このため、乱数発生手段で生成した鍵で暗号化したコンテンツをそのままＤＶＤ−ＲＡＭに追記することはできず、一旦復号化した後、改めてＤＶＤ−ＲＡＭから読み出した暗号鍵情報を用いて再暗号化し、追記することになる。）これらの処理が途中、または完了したフォーマットの蓄積をムーブ用蓄積ファイルとする。
【００４３】
なお、当該記録媒体にムーブできる範囲内であれば、解像度、ビットレートなどの変換も行ってよい。
【００４４】
また、実施の形態１では３つの記録媒体ドライブ手段を内蔵した蓄積記録装置の例を説明している。２つの記録媒体ドライブ手段を内蔵した蓄積記録装置の場合にも、１つの蓄積ファイルと２つのムーブ用蓄積ファイルを蓄積することは可能である。これは、２つのムーブ用蓄積ファイルをムーブした後でも、蓄積ファイルを再生して視聴するなどのユーザの利便性を確保するためである。しかし、もし１つの記録媒体ドライブ手段しか内蔵していない蓄積記録装置の場合にはムーブ用蓄積ファイルは１つに制限される。これはムーブ対象となる記録媒体が１種類しかないためである。
【００４５】
次に蓄積記録装置１０１の表示および操作について説明する。
【００４６】
まずユーザインターフェイス手段１１７について説明する。
【００４７】
図２は、ユーザインターフェイス手段１１７の構成の一例を示すブロック図である。図２で、２０１は表示映像生成手段、２０２は合成手段、２０３は受信手段である。表示映像生成手段２０１から受信手段２０３までで、ユーザインターフェイス手段１１７を構成する。２０４は蓄積記録装置１０１の外部の表示装置、２０５は蓄積記録装置１０１に付属するリモートコントローラである。リモートコントローラ２０５には、少なくとも機能選択キー２０６、上向矢印キー２０７、下向矢印キー２０８、左向矢印キー２０９、右向矢印キー２１０、決定キー２１１、番組表キー２１２、プログラムナビキー２１３、停止キー２１４、再生キー２１５が設けられている。この他にも多数のキーがあるが、ここでは省略する。図２では表示装置２０４、リモートコントローラ２０５を蓄積記録装置１０１の外部としたが、蓄積記録装置１０１に組み込まれていてもよい。たとえば、蓄積記録装置１０１の液晶表示デバイス（図示せず）とボタン（図示せず）を用いて制御することが可能である。
【００４８】
表示映像生成手段２０１は、蓄積記録装置１０１の各部分から送られてくるユーザ表示用データに基づいて表示映像（メニュー画面など）を生成する。合成手段２０２は、受信したコンテンツや蓄積したコンテンツを蓄積記録装置１０１で再生する場合に、再生信号と表示映像生成手段２０１の表示映像とを重ね合わせたり、切り替えたりして蓄積記録装置１０１の外部へ出力するＡＶ信号とする。受信手段２０３はリモートコントローラ２０５からの信号を受信して、蓄積記録装置１０１内の各部に制御信号を出す。表示装置２０４は蓄積記録装置１０１のＡＶ信号を表示する装置で、たとえばテレビや液晶プロジェクタなどである。リモートコントローラ２０５は蓄積記録装置１０１を制御するためのキーを備え、キー操作に基づく制御信号を赤外線、電波などを用いて、蓄積記録装置１０１に送信する。
【００４９】
以下、ユーザインターフェイス手段１１７を中心にして操作について説明する。
【００５０】
デジタル放送コンテンツの蓄積操作の手順としては、まず、リモートコントローラ２０５の番組表キー２１２を押して、番組表画面を呼び出す。図３に番組表画面の一例を示す。画面左上に現在の日時、右上に現在選択中の番組の管理情報の一部としてソース情報（放送局名）、記録日時（放送日時）、ジャンル、著作権管理情報、タイトル、短形式番組記述が表示され、その下に放送局ごとの番組表が表示されている。番組表において現在選択されている番組は反転表示される。図３では、ＤＤＤテレビで１７：００から放送される「むかしばなし  ももたろう」が選択されている。ユーザは、番組表画面で矢印キーを用いて蓄積したい番組（コンテンツ）を選択する。ある番組が選択された状態で蓄積キー２１３を押すと、選択された番組が現在放送中であれば即座に蓄積要求が発行され、今後放送予定であれば蓄積予約される。蓄積予約された場合には予約時間になると蓄積要求が発行される。
【００５１】
コンテンツの蓄積要求があった場合には、デジタル放送受信手段１０２に当該コンテンツのパーシャルＴＳと管理情報とを生成させる。当該コンテンツが「１世代のみコピー可」の時、コンテンツは暗号化され、蓄積媒体１０４に「再コピー禁止」の蓄積ファイル１０４、第１のムーブ用蓄積ファイル１０５、および、第２のムーブ用蓄積ファイル１０６として蓄積される。ただし、初期設定などで指定することにより、前記３つのファイルを全て蓄積するか、指定したファイルのみを蓄積するか選択できるようにしてもよい。
以上がコンテンツの蓄積操作の手順である。
【００５２】
次に再生・ムーブ操作について説明する。再生・ムーブ操作の手順としては、まず、リモートコントローラ２０５のプログラムナビキー２１３を押して、プログラムナビ画面を呼び出す。プログラムナビ画面は、タイトル一覧画面とサムネイル画面の２つの表示画面がある。これら２つの表示画面は、プログラムナビキー２１３を押すたびに交互に表示される。図４にプログラムナビ／タイトル一覧画面の表示例、図５にプログラムナビ／サムネイル画面の表示例を示す。
【００５３】
図４のプログラムナビ／タイトル一覧画面では、タイトル一覧表４０１とサムネイル４０２が表示される。
【００５４】
タイトル一覧４０１は、蓄積したコンテンツごとに、Ｎｏ、録画日、曜日、ＣＨ（チャンネル）、開始時間、タイトル、記録媒体ごとのムーブ可否状態が表示される。ここでは第１の記録媒体としてＢＤ、第２の記録媒体としてＤＶＤ−ＲＡＭ、第３の記録媒体としてＳＤメモリカードが対応する例を示している。Ｎｏは蓄積順に３桁の通し番号を振っている。録画日、曜日、ＣＨ（チャンネル）、開始時間、タイトルはデジタル放送の管理情報から取得したコンテンツ情報である。記録媒体ごとのムーブ可否状態は、ムーブ可が○、ムーブ否が×で表示されている。ムーブ可否状態は各コンテンツごとの蓄積ファイル１０４、第１のムーブ用蓄積ファイル１０５、第２のムーブ用蓄積ファイル１０６の存在状態に対応しており、存在すればムーブ可となる。蓄積ファイルが記録媒体にムーブされ再生不能化された場合、ユーザ操作により再生不能化された場合、または、当該ファイルが蓄積されない設定のため存在しない場合にはムーブ否になる。
【００５５】
ユーザは、リモートコントローラ２０５の矢印キーを用いてコンテンツを選択する。図４の例では「クラシックアワー」が背景色を変えて表示され、選択状態であることを示している。また、右向矢印キー２０９、左向矢印キー２１０を用いて、ムーブ可否状態のうちムーブ可表示（○表示）である記録媒体を選択する。図４ではＤＶＤが背景色を変えて表示されており、選択状態であることを示す。この状態で再生キー２１５を押すと「クラシックアワー」「ＤＶＤ」の再生が開始される。すなわち「クラシックアワー」に対応する第１のムーブ用蓄積ファイル１０５が再生される。また、「クラシックアワー」「ＤＶＤ」の選択状態のときに決定キー２１１を押すとムーブが開始される。すなわち、「クラシックアワー」に対応する第１のムーブ用蓄積ファイル１０５が第２の記録媒体ドライブ手段１１０を介して、第２の記録媒体１１１上に第２の記録ファイル１１２としてムーブされる。ムーブ後は「クラシックアワー」に対応する第１のムーブ用蓄積ファイル１０５は再生不能化され、ムーブ可否状態はムーブ否表示（×表示）に変わる。
【００５６】
サムネイル４０２には現在選択されているコンテンツのサムネイルが表示される。図４の例では「クラシックアワー」「ＤＶＤ」が選択されているので、「クラシックアワー」に対応する第１のムーブ用蓄積ファイル１０５が表示される。表示は静止画でもよいし、サムネイルサイズの動画でもよい。矢印キーを使ってサムネイルを選択したときは動画、それ以外は静止画というような表示も可能である。
【００５７】
図５のプログラムナビ／サムネイル画面では、サムネイルを用いたコンテンツの一覧が表示される。
【００５８】
５０２はサムネイル画面、５０３はＮｏ、５０４は付属情報（記録日、曜日、ＣＨ、タイトル）、５０５は各記録媒体ごとのムーブ可否状態であり、５０２から５０５までをまとめて１つのコンテンツとする。各コンテンツごとのサムネイルが一覧表示される。
【００５９】
ユーザは、リモートコントローラ２０５の矢印キーを用いてコンテンツを選択する。図５の例では「クラシックアワー」が背景色を変えて表示され、選択状態であることを示している。また、矢印キーを用いて、ムーブ可否状態のうちムーブ可表示（○表示）である記録媒体を選択する。図５ではＤＶＤが背景色を変えて表示されており、選択状態であることを示す。この状態で再生キー２１５を押すと「クラシックアワー」「ＤＶＤ」の再生が開始される。すなわち「クラシックアワー」に対応する第１のムーブ用蓄積ファイル１０５が再生される。また、「クラシックアワー」「ＤＶＤ」の選択状態のときに決定キー２１１を押すとムーブが開始される。すなわち、「クラシックアワー」に対応する第１のムーブ用蓄積ファイル１０５が第２の記録媒体ドライブ手段１１０を介して、第２の記録媒体１１１上に第２の記録ファイル１１２としてムーブされる。ムーブ後は「クラシックアワー」に対応する第１のムーブ用蓄積ファイル１０５は再生不能化され、ムーブ可否状態はムーブ否表示（×表示）に変わる。
【００６０】
各サムネイル画面は初期状態としては各コンテンツの蓄積ファイル１０４が表示されている。しかし、蓄積ファイル１０４がムーブされたコンテンツについてはムーブ用蓄積ファイルが表示される。たとえば「温泉紀行」を表示しているコンテンツ５１０はＳＤメモリーカード用の第２のムーブ用蓄積ファイルしか残っていないため、サムネイル画面がＳＤ用の画素の少ないものになる。
【００６１】
さらに、選択した蓄積ファイルまたはムーブ用蓄積ファイルを編集することも可能である。編集操作は、たとえば、蓄積ファイルまたはムーブ用蓄積ファイルをチャプターと呼ばれる小単位に区切っておく。チャプター区切は、たとえば、当該ファイルを再生中に、リモートコントローラ２０５のチャプターキー（図示せず）を押すことにより実施される。プログラムナビ画面でチャプターに区切られているファイルを選択状態にし、機能選択キー２０６を押して機能メニューを呼び出し、その中からチャプター一覧表示を選択すると、各チャプターのサムネイル一覧が表示される。たとえば、不要なチャプターを削除したいときには、矢印キーで当該チャプターを選択し、機能選択キー２０６でチャプターメニューを呼び出して、そのなかからチャプター削除を選んで決定キー２１１を押す。このほか、チャプターを移動することもできる。
【００６２】
コンテンツの消去については、プログラムナビ画面で消去したいコンテンツの選択状態で機能選択キー２０６を押すとメニューが表示され、そのなかから消去を選択し、決定キー２１１を押す。
【００６３】
以上のように、本実施の形態１では、「１世代のみコピー可」状態のコンテンツを「再コピー禁止」状態に蓄積ファイルとムーブ用蓄積ファイルとして蓄積する。ムーブ用蓄積ファイルは内蔵の記録媒体ドライブ手段に対応する記録媒体にしかムーブできず、コンテンツの無制限な複製を防止でき、著作権者の権利が適切に保護される。一方、ユーザはムーブ用蓄積ファイルを内蔵の記録媒体ドライブ手段に対応する記録媒体にムーブすることができ、さらに、これらとは独立に蓄積ファイルを再生したり、ムーブすることも可能となる。また、ムーブ用蓄積ファイルも再生可能なため、蓄積ファイルを先にムーブした場合にも蓄積手段からの再生が可能であり、ムーブの順序を気にする必要もない。またムーブ用蓄積ファイルも再生可能なため、ムーブ用蓄積ファイルの編集も可能である。また、記録媒体ごとのムーブ可否が表示されるので、ムーブ先記録媒体の選択も容易になる。このように実施の形態１ではユーザの利便性と著作権者の権利保護が両立を達成した蓄積記録装置を提供することができる。
【００６４】
（実施の形態２）
実施の形態２は、蓄積ファイルおよびムーブ用蓄積ファイルの両方が再生可能であり、蓄積ファイルをムーブした後はムーブ用蓄積ファイルは消去される例である。
【００６５】
実施の形態２の蓄積記録装置の基本的な構成は図１と同様である。
【００６６】
図６（ａ）は、デジタル放送を記録した直後の状態を示すブロック図である。蓄積手段１０３には蓄積ファイル１０４、第１のムーブ用蓄積ファイル１０５、および、第２のムーブ用蓄積ファイル１０６の３つが蓄積されている。これらの３つのファイルは全て再生可能である。
【００６７】
つぎに、図６（ｂ）に蓄積ファイル１０４を、第１の記録媒体１０８にムーブし、蓄積ファイル１０４が再生不能化された状態のブロック図を示す。図６（ｂ）では蓄積ファイル１０４が再生不能化され、破線表示にしてあるが、これに伴い、第１のムーブ用蓄積ファイル１０５、および、第２のムーブ用蓄積ファイル１０６も再生不能化される。蓄積ファイル１０５と第１のムーブ用蓄積ファイル１０５、および、第２のムーブ用蓄積ファイル１０６との対応関係を示すために、蓄積ファイル１０５または蓄積ファイル１０５の管理情（図示せず）報に第１のムーブ用蓄積ファイル１０５、および、第２のムーブ用蓄積ファイル１０６へのリンク情報を設け、蓄積ファイル１０５を再生不能化する場合にはリンク先である第１のムーブ用蓄積ファイル１０５、および、第２のムーブ用蓄積ファイル１０６も再生不能化する。または、蓄積手段１０３の管理情報に各コンテンツごとの領域を設け、この中に蓄積ファイル１０４、第１のムーブ用蓄積ファイル１０５、および、第２のムーブ用蓄積ファイル１０６を特定する情報（たとえばリンク情報）を格納しておき、各コンテンツの蓄積ファイル１０５を再生不能化する場合、第１のムーブ用蓄積ファイル１０５、および、第２のムーブ用蓄積ファイル１０６も再生不能化するようにしてもよい。
【００６８】
図６（ｃ）は、第２のムーブ用蓄積ファイル１０６が第３の記録媒体１１４にムーブされ、第２のムーブ用蓄積ファイル１０６が再生不能化された状態のブロック図を示す。この場合、蓄積ファイル１０４、第１のムーブ用ファイル１０５はそのまま残っており、再生もムーブも可能である。この状態から、更に蓄積ファイル１０４をムーブすると、蓄積ファイル１０４、および、第１のムーブ用ファイル１０５の両方が再生不能化される。しかし、第１のムーブ用ファイル１０５をムーブした場合には、第１のムーブ用ファイル１０５のみが再生不能化される。蓄積ファイル１０４はそのまま残っており、再生もムーブも可能である。
【００６９】
図７に実施の形態２におけるプログラムナビ／タイトル一覧画面の表示例、図８に実施の形態２におけるプログラムナビ／サムネイル画面の表示例を示す。
【００７０】
図７においてはＢＤへのムーブ可否が各コンテンツの蓄積ファイル１０４の有無を表している。したがってＢＤにムーブしたコンテンツは、まだＤＶＤ、ＳＤにムーブしていなくても再生不能であり、プログラムナビ／タイトル一覧から削除される。図７のＮｏ．００２「サッカーワールドシリーズ」は図６（ａ）の状態である。Ｎｏ．００３「クラシックアワー」は図６（ｃ）の状態である。図６（ｂ）の状態は図７ではタイトル一覧から削除された状態であり、表示されない。
【００７１】
図８のプログラムナビ／サムネイル画面も、図７と同様に４つのコンテンツが表示される。
【００７２】
なお、実施の形態２において、ユーザが第１のムーブ用蓄積ファイル１０５および／または第２のムーブ用蓄積ファイル１０６より先に蓄積ファイル１０４をムーブする操作を行った場合、蓄積記録装置１０１はユーザに対してユーザインターフェイス手段１１７を介して第１のムーブ用蓄積ファイル１０５および／または第２のムーブ用蓄積ファイル１０６が再生不能化、したがってムーブ不可能になることを警告するようにしてもよい。さらに、第１のムーブ用蓄積ファイル１０５および／または第２のムーブ用蓄積ファイル１０６をムーブする表示画面をユーザに提示し、先にこれらのファイルをムーブさせるよう誘導を行ってもよい。
【００７３】
以上のように、本実施の形態２では、「１世代のみコピー可」状態のコンテンツを「再コピー禁止」状態に蓄積ファイルとムーブ用蓄積ファイルとして蓄積する。ムーブ用蓄積ファイルは内蔵の記録媒体ドライブ手段に対応する記録媒体にしかムーブできず、コンテンツの無制限な複製を防止できる。さらに、蓄積ファイルがムーブされた場合には、そのとき残っているムーブ用蓄積ファイルも再生不能化され、著作権者の権利が、より適切に保護される。一方、ユーザはムーブ用蓄積ファイルを内蔵の記録媒体ドライブ手段に対応する記録媒体にムーブすることができ、さらに、これらとは独立に蓄積ファイルを再生したり、ムーブすることも可能となる。また、ムーブ用蓄積ファイルも再生可能なため、蓄積ファイルを先にムーブした場合にも蓄積手段からの再生が可能であり、ムーブの順序を気にする必要もない。またムーブ用蓄積ファイルも再生可能なため、ムーブ用蓄積ファイルの編集も可能である。このように実施の形態２ではユーザの利便性と著作権者の権利保護が両立を達成した蓄積記録装置を提供することができる。
【００７４】
（実施の形態３）
実施の形態３は、蓄積ファイルは再生可能であるがムーブ用蓄積ファイルは再生禁止であり、蓄積ファイルをムーブした後もムーブ用蓄積ファイルがそのまま残り、ムーブ用蓄積ファイルの１つが再生可能となる例である。
【００７５】
実施の形態３の蓄積記録装置の基本的な構成は図１と同様である。
【００７６】
図９（ａ）は、デジタル放送を記録した直後の状態を示すブロック図である。蓄積手段１０３には蓄積ファイル１０４、第１のムーブ用蓄積ファイル１０５、および、第２のムーブ用蓄積ファイル１０６の３つが蓄積されている。これらの３つのファイルのうち、蓄積ファイル１０４は再生可能であるが、第１のムーブ用蓄積ファイル１０５、および、第２のムーブ用蓄積ファイル１０６は再生禁止である。図９では再生禁止のファイルは斜線を掛けて示す。再生を禁止するために、第１のムーブ用蓄積ファイル１０５、および、第２のムーブ用蓄積ファイル１０６のヘッダなどに再生可否を示す情報を設け、再生否に設定する。または、蓄積手段１０３の管理情報に各コンテンツごとの領域を設け、この中に第１のムーブ用蓄積ファイル１０５、および、第２のムーブ用蓄積ファイル１０６の再生可否示す情報を設けて再生否に設定しておいてもよい。そして、各ファイルを再生しようとする場合にファイルの再生可否情報を参照して再生するかどうかを制御する。
【００７７】
つぎに、図９（ｂ）に蓄積ファイル１０４を、第１の記録媒体１０８にムーブし、蓄積ファイル１０４が再生不能化された状態のブロック図を示す。図９（ｂ）では蓄積ファイル１０４が再生不能化され、破線表示にしてある。これに伴い、第１のムーブ用蓄積ファイル１０５は再生可となる。具体的には再生可否情報を再生可に設定し直す。第２のムーブ用蓄積ファイル１０６は再生禁止のままである。
【００７８】
図９（ｃ）は、蓄積ファイル１０４を、第１の記録媒体１０８にムーブし、さらに、第１のムーブ用蓄積ファイル１０５が第２の記録媒体１１１にムーブされた状態のブロック図を示す。この場合、蓄積ファイル１０４、第１のムーブ用ファイル１０５は再生不能化されるが、第２のムーブ用蓄積ファイルは残っており、再生可となる。
【００７９】
図１０に実施の形態３におけるプログラムナビ／タイトル一覧画面の表示例、図１１に実施の形態３におけるプログラムナビ／サムネイル画面の表示例を示す。
【００８０】
図１０においては、蓄積手段１０３に蓄積ファイル１０４、第１のムーブ用蓄積ファイル１０５、または、第２のムーブ用蓄積ファイル１０６の少なくとも一つが蓄積されているコンテンツがタイトル一覧に表示される。ただし、サムネイル４０２に表示されるのは当該コンテンツのうちの再生可能なものである。Ｎｏ.００２〜００５は、ＢＤがムーブ可能、すなわち、蓄積手段１０３に当該コンテンツの蓄積ファイル１０４が存在しているので、ムーブ用蓄積ファイルは再生禁止、サムネイルとしては蓄積ファイル１０４が表示される。図１０ではＮｏ．００３「クラシックアワー」の「ＤＶＤ」が選択されているが、選択に関わらず、サムネイル４０２は蓄積ファイル１０４が表示されることになる。Ｎｏ．００６および００８は、ＢＤはムーブ不可、すなわち当該コンテンツの蓄積ファイル１０４は再生不能化されているが、代わりに第１のムーブ用蓄積ファイル１０５が再生可能になっている。したがって、サムネイル４０２にはムーブ用蓄積ファイル１０５が表示される。Ｎｏ．００７は、ＢＤおよびＤＶＤはムーブ不可、すなわち蓄積ファイル１０４、および、第１のムーブ用蓄積ファイル１０５は再生不能化されている。したがってサムネイル４０２には第２のムーブ用蓄積ファイル１０６が表示される。
図１０のＮｏ．００２「サッカーワールドシリーズ」は図９（ａ）の状態、Ｎｏ．００６「野生のライオン」は図９（ｂ）の状態、Ｎ０．００７「温泉紀行」は図９（ｃ）の状態である。
【００８１】
図１１のプログラムナビ／サムネイル画面も、図１０と同様、コンテンツのうち表示可能なファイルが表示される。
【００８２】
実施の形態３では、表示が禁止されているムーブ用蓄積ファイルを直接編集することはできない。しかし、表示が可能なファイルで編集を行い、その編集結果を表示が禁止されているファイルに適用することは可能である。図１２に編集結果を適用する場合の概念図を示す。図１２は、蓄積手段１０３上に蓄積ファイル１０４と第１のムーブ用蓄積ファイル１０５が存在し、蓄積ファイル１０４の編集結果を第１のムーブ用蓄積ファイル１０５に適用する例である。まず、図１０のプログラムナビ／タイトル一覧画面においてムーブ対象として、ＤＶＤを選択し実施の形態１で説明した手順で編集を行う。このとき表示されるのは蓄積ファイル１０４であり、チャプターに区切られるのも蓄積ファイル１０４である。チャプターの区切り位置は蓄積ファイル１０４のファイル位置または時刻で表される。これを蓄積ファイル用プレイリスト１２０１に格納する。図１２の例では、蓄積ファイル１０４をチャプター１〜５に区切り、このうちチャプター２、４を削除する。編集が終わると、蓄積ファイル用プレイリスト１２０１の情報をもとに第１のムーブ用蓄積ファイル用プレイリスト１１０２が生成される。蓄積ファイル１０４と第１のムーブ用蓄積ファイルはフォーマットやビットレートが同じとは限らないため、チャプターの区切り位置に対応するファイル位置も異なるが、両者を再生した場合の時間は同じであるから、チャプターの区切り時間が同じになるファイル位置を決定し、第１のムーブ用蓄積ファイル用プレイリスト１１０２に格納する。この第１のムーブ用蓄積ファイル用プレイリスト１１０２を元に第１のムーブ用蓄積ファイルをムーブするとき、削除すべきチャプター２’、４’を削除する。または、ムーブ前に蓄積手段１０３上で、削除すべきチャプター２’４’を削除しておいてもよい。結果として、第２の記録媒体１１１上にムーブされた第２の記録ファイル１１２はチャプター１’、３’、５’から構成されたものとなる。
【００８３】
以上のように、本実施の形態３では、「１世代のみコピー可」状態のコンテンツを「再コピー禁止」状態に蓄積ファイルとムーブ用蓄積ファイルとして蓄積する。ムーブ用蓄積ファイルは内蔵の記録媒体ドライブ手段に対応する記録媒体にしかムーブできず、コンテンツの無制限な複製を防止できる。さらに、蓄積ファイルとムーブ用蓄積ファイルのうち再生できるものはムーブの状況に関わらず１つに限定されるので、著作権者の権利が、より適切に保護される。一方、ユーザはムーブ用蓄積ファイルを内蔵の記録媒体ドライブ手段に対応する記録媒体にムーブすることができ、さらに、これらとは独立に蓄積ファイルを再生したり、ムーブすることも可能となる。また、蓄積ファイルを先にムーブした場合にはムーブ用蓄積ファイルの一つがが再生可能となるなため、蓄積手段からの再生が可能であり、ムーブの順序を気にする必要もない。また再生可能なファイルを利用して、再生禁止ファイルを間接的に編集することも可能である。このように実施の形態３ではユーザの利便性と著作権者の権利保護が両立を達成した蓄積記録装置を提供することができる。
【００８４】
（実施の形態４）
実施の形態４は、蓄積ファイルは再生可能であるがムーブ用蓄積ファイルは再生禁止であり、蓄積ファイルをムーブした後もムーブ用蓄積ファイルがそのまま残る例である。
【００８５】
実施の形態４の蓄積記録装置の基本的な構成は図１と同様である。
【００８６】
図１３（ａ）は、デジタル放送を記録した直後の状態を示すブロック図である。蓄積手段１０３には蓄積ファイル１０４、第１のムーブ用蓄積ファイル１０５、および、第２のムーブ用蓄積ファイル１０６の３つが蓄積されている。これらの３つのファイルのうち、蓄積ファイル１０４は再生可能であるが、第１のムーブ用蓄積ファイル１０５、および、第２のムーブ用蓄積ファイル１０６は再生禁止である。図１３では再生禁止のファイルは斜線を掛けて示す。再生を禁止するために、第１のムーブ用蓄積ファイル１０５、および、第２のムーブ用蓄積ファイル１０６のヘッダなどに再生可否を示す情報を設け、再生否に設定する。または、蓄積手段１０３の管理情報に各コンテンツごとの領域を設け、この中に第１のムーブ用蓄積ファイル１０５、および、第２のムーブ用蓄積ファイル１０６の再生可否示す情報を設けて再生否に設定しておいてもよい。そして、各ファイルを再生しようとする場合にファイルの再生可否情報を参照して再生するかどうかを制御する。
【００８７】
つぎに、図１３（ｂ）に蓄積ファイル１０４を、第１の記録媒体１０８にムーブし、蓄積ファイル１０４が再生不能化された状態のブロック図を示す。図１３（ｂ）では蓄積ファイル１０４が再生不能化され、破線表示にしてある。第１のムーブ用蓄積ファイル１０５、および、第２のムーブ用蓄積ファイル１０６は再生禁止のままである。
【００８８】
図１３（ｃ）は、蓄積ファイル１０４を、第１の記録媒体１０８にムーブし、さらに、第１のムーブ用蓄積ファイル１０５が第２の記録媒体１１１にムーブされた状態のブロック図を示す。この場合、蓄積ファイル１０４、第１のムーブ用ファイル１０５は再生不能化される。第２のムーブ用蓄積ファイル１０６は再生禁止のままである。
【００８９】
図１４に実施の形態４におけるプログラムナビ／タイトル一覧画面の表示例、図１５に実施の形態４におけるプログラムナビ／サムネイル画面の表示例を示す。
【００９０】
図１４においては、蓄積手段１０３に蓄積ファイル１０４、第１のムーブ用蓄積ファイル１０５、または、第２のムーブ用蓄積ファイル１０６の少なくとも一つが蓄積されているコンテンツがタイトル一覧に表示される。ただし、サムネイル４０２に表示されるのは当該コンテンツのうち蓄積ファイル１０４が存在するものだけである。Ｎｏ.００２〜００５は、ＢＤがムーブ可能、すなわち、蓄積手段１０３に当該コンテンツの蓄積ファイル１０４が存在しているので、サムネイルとして蓄積ファイル１０４が表示される。図１４ではＮｏ．００３「クラシックアワー」の「ＤＶＤ」が選択されているが、選択に関わらず、サムネイル４０２は蓄積ファイル１０４が表示されることになる。Ｎｏ．００６〜００８は、ＢＤはムーブ不可、すなわち当該コンテンツの蓄積ファイル１０４は再生不能化されている。したがってサムネイル４０２には再生信号は表示できない。
図１４のＮｏ．００２「サッカーワールドシリーズ」は図１３（ａ）の状態、Ｎｏ．００６「野生のライオン」は図１３（ｂ）の状態、Ｎ０．００７「温泉紀行」は図１３（ｃ）の状態である。
【００９１】
図１５のプログラムナビ／サムネイル画面も、図１４と同様、当該コンテンツのうち蓄積ファイル１０４が存在するものだけサムネイルが表示される。Ｎｏ．００６、００７はサムネイルが表示されない。しかし、文字情報などは表示可能である。
【００９２】
実施の形態４では、ムーブ用蓄積ファイルは、表示ができないので、直接編集することはできない。しかし、表示が可能な蓄積ファイル１０４がある場合には、実施の形態３で説明したのと同様の方法で蓄積ファイル１０４を用いて編集を行い、その編集結果をムーブ用蓄積ファイルに適用することは可能である。
【００９３】
また、実施の形態４において、ユーザが第１のムーブ用蓄積ファイル１０５および／または第２のムーブ用蓄積ファイル１０６より先に蓄積ファイル１０４を第１の記録媒体にムーブする操作を行った場合、蓄積記録装置１０１はユーザに対してユーザインターフェイス手段１１７を介して、第１のムーブ用蓄積ファイル１０５および／または第２のムーブ用蓄積ファイル１０６の画像が確認できなくなることを警告するようにしてもよい。
【００９４】
以上のように、本実施の形態４では、「１世代のみコピー可」状態のコンテンツを「再コピー禁止」状態に蓄積ファイルとムーブ用蓄積ファイルとして蓄積する。ムーブ用蓄積ファイルは内蔵の記録媒体ドライブ手段に対応する記録媒体にしかムーブできず、コンテンツの無制限な複製を防止できる。さらに、再生できるのは蓄積ファイル１つに限定されるので、著作権者の権利が、より適切に保護される。一方、ユーザはムーブ用蓄積ファイルを内蔵の記録媒体ドライブ手段に対応する記録媒体にムーブすることができ、さらに、これらとは独立に蓄積ファイルを再生したり、ムーブすることも可能となる。また再生可能なファイルを利用して、再生禁止ファイルを間接的に編集することも可能である。このように実施の形態４ではユーザの利便性と著作権者の権利保護が両立を達成した蓄積記録装置を提供することができる。
【００９５】
（実施の形態５）
実施の形態５は、蓄積ファイルは再生可能であるがムーブ用蓄積ファイルは再生禁止であり、蓄積ファイルをムーブした後はムーブ用蓄積ファイルは消去される例である。
【００９６】
実施の形態５の蓄積記録装置の基本的な構成は図１と同様である。
【００９７】
図１６（ａ）は、デジタル放送を記録した直後の状態を示すブロック図である。蓄積手段１０３には蓄積ファイル１０４、第１のムーブ用蓄積ファイル１０５、および、第２のムーブ用蓄積ファイル１０６の３つが蓄積されている。これらの３つのファイルのうち、蓄積ファイル１０４は再生可能であるが、第１のムーブ用蓄積ファイル１０５、および、第２のムーブ用蓄積ファイル１０６は再生禁止である。図１６では再生禁止のファイルは斜線を掛けて示す。再生を禁止するために、第１のムーブ用蓄積ファイル１０５、および、第２のムーブ用蓄積ファイル１０６のヘッダなどに再生可否を示す情報を設け、再生否に設定する。または、蓄積手段１０３の管理情報に各コンテンツごとの領域を設け、この中に第１のムーブ用蓄積ファイル１０５、および、第２のムーブ用蓄積ファイル１０６の再生可否示す情報を設けて再生否に設定しておいてもよい。そして、各ファイルを再生しようとする場合にファイルの再生可否情報を参照して再生するかどうかを制御する。
【００９８】
つぎに、図１６（ｂ）に蓄積ファイル１０４を、第１の記録媒体１０８にムーブし、蓄積ファイル１０４が再生不能化された状態のブロック図を示す。図１６（ｂ）では蓄積ファイル１０４が再生不能化され、破線表示にしてあるが、これに伴い、第１のムーブ用蓄積ファイル１０５、および、第２のムーブ用蓄積ファイル１０６も再生不能化される。蓄積ファイル１０５と第１のムーブ用蓄積ファイル１０５、および、第２のムーブ用蓄積ファイル１０６との対応関係を示すために、蓄積ファイル１０４または蓄積ファイル１０５の管理情（図示せず）報に第１のムーブ用蓄積ファイル１０５、および、第２のムーブ用蓄積ファイル１０６へのリンク情報を設け、蓄積ファイル１０５を再生不能化する場合にはリンク先である第１のムーブ用蓄積ファイル１０５、および、第２のムーブ用蓄積ファイル１０６も再生不能化する。または、蓄積手段１０３の管理情報に各コンテンツごとの領域を設け、この中に蓄積ファイル１０４、第１のムーブ用蓄積ファイル１０５、および、第２のムーブ用蓄積ファイル１０６を特定する情報（たとえばリンク情報）を格納しておき、各コンテンツの蓄積ファイル１０５を再生不能化する場合、第１のムーブ用蓄積ファイル１０５、および、第２のムーブ用蓄積ファイル１０６も再生不能化するようにしてもよい。
【００９９】
図１６（ｃ）は、第２のムーブ用蓄積ファイル１０６が第３の記録媒体１１４にムーブされ、第２のムーブ用蓄積ファイル１０６が再生不能化された状態のブロック図を示す。この場合、蓄積ファイル１０４、第１のムーブ用ファイル１０５はそのまま残っており、再生もムーブも可能である。この状態から、更に蓄積ファイル１０４をムーブすると、蓄積ファイル１０４、および、第１のムーブ用ファイル１０５の両方が再生不能化される。しかし、第１のムーブ用ファイル１０５をムーブした場合には、第１のムーブ用ファイル１０５のみが再生不能化される。蓄積ファイル１０４はそのまま残っており、再生もムーブも可能である。
【０１００】
図１７に実施の形態５におけるプログラムナビ／タイトル一覧画面の表示例、図１８に実施の形態５におけるプログラムナビ／サムネイル画面の表示例を示す。
【０１０１】
図１７においてはＢＤへのムーブ可否が各コンテンツの蓄積ファイル１０４の有無を表している。したがってＢＤにムーブしたコンテンツは、まだＤＶＤ、ＳＤにムーブして無くてもプログラムナビ／タイトル一覧から削除される。図１７のＮｏ．００２「サッカーワールドシリーズ」は図１６（ａ）の状態である。Ｎｏ．００３「クラシックアワー」は図１６（ｃ）の状態である。図１６（ｂ）の状態は図１７では削除された状態であり、該当するものはない。
【０１０２】
図１８のプログラムナビ／サムネイル画面も、同様に４つのコンテンツが表示される。
【０１０３】
なお、実施の形態５において、ユーザが第１のムーブ用蓄積ファイル１０５および／または第２のムーブ用蓄積ファイル１０６より先に蓄積ファイル１０４を第１の記録媒体にムーブする操作を行った場合、蓄積記録装置１０１はユーザに対してユーザインターフェイス手段１１７を介して第１のムーブ用蓄積ファイル１０５および／または第２のムーブ用蓄積ファイル１０６が再生不能化、したがってムーブ不可能になることを警告するようにしてもよい。さらに、第１のムーブ用蓄積ファイル１０５および／または第２のムーブ用蓄積ファイル１０６する表示画面をユーザに提示し、間違ってこれらのファイルをムーブできなくなることを回避させる誘導を行ってもよい。
【０１０４】
また、実施の形態５では、ムーブ用蓄積ファイルは、表示ができないので、直接編集することはできない。しかし、表示が可能な蓄積ファイル１０４がある場合には、実施の形態３で説明したのと同様の方法で蓄積ファイル１０４を用いて編集を行い、その編集結果をムーブ用蓄積ファイルに適用することは可能である。
【０１０５】
以上のように、本実施の形態５では、「１世代のみコピー可」状態のコンテンツを「再コピー禁止」状態に蓄積ファイルとムーブ用蓄積ファイルとして蓄積する。ムーブ用蓄積ファイルは内蔵の記録媒体ドライブ手段に対応する記録媒体にしかムーブできず、コンテンツの無制限な複製を防止できる。さらに、再生できるのは蓄積ファイル１つに限定され、蓄積ファイルがムーブされた場合には、そのとき残っているムーブ用蓄積ファイルも再生不能化されるので、著作権者の権利が、より適切に保護される。一方、ユーザはムーブ用蓄積ファイルを内蔵の記録媒体ドライブ手段に対応する記録媒体にムーブすることができ、さらに、これらとは独立に蓄積ファイルを再生したり、ムーブすることも可能となる。また再生可能なファイルを利用して、再生禁止ファイルを間接的に編集することも可能である。このように実施の形態５ではユーザの利便性と著作権者の権利保護が両立を達成した蓄積記録装置を提供することができる。
【０１０６】
なお、実施の形態１から５では、蓄積ファイルが１つ、ムーブ用蓄積ファイルが２つの例で説明したが、ファイル数はこれらに限定されない。たとえば、蓄積ファイルが１つ、ムーブ用蓄積ファイルも１つでもよいし、蓄積ファイルが１つ、ムーブ用蓄積ファイルが３つでもよい。ただし、ムーブ用蓄積ファイル数は当該蓄積記録装置が内蔵している記録媒体ドライブ手段の数以下である。記録媒体ドライブ手段を１つだけ内蔵している蓄積記録装置の場合、当該記録媒体用に１つのムーブ用蓄積ファイルを生成し、蓄積用ファイルは再生のみに用いる、という機器であってもよい。
【０１０７】
また、実施の形態１から５では、蓄積ファイルのムーブ先は限定していないが、ムーブ用蓄積ファイルを生成した記録媒体はムーブ先から除外してもよい。これは、私的使用のための複製であれば、同じ記録媒体２つにムーブする必要性は低いためである。
【産業上の利用可能性】
【０１０８】
本発明にかかる蓄積記録装置、および方法は、「１世代のみコピー可」のコンテンツを蓄積、記録する際にユーザの利便性と著作権者の権利保護との両立が可能となるので蓄積記録装置などとして有用である。
【図面の簡単な説明】
【０１０９】
【図１】本発明装置の実施の形態１のブロック図
【図２】ユーザインターフェイス手段１１７の構成の一例を示すブロック図
【図３】番組表画面の一例を示す図
【図４】プログラムナビ／タイトル一覧画面の表示例を示す図
【図５】プログラムナビ／サムネイル画面の表示例を示す図
【図６（ａ）】デジタル放送を記録した直後の状態を示すブロック図
【図６（ｂ）】蓄積ファイル１０４を、第１の記録媒体１０８にムーブし、蓄積ファイル１０４が再生不能化された状態のブロック図
【図６（ｃ）】第２のムーブ用蓄積ファイル１０６が第３の記録媒体１１４にムーブされ、第２のムーブ用蓄積ファイル１０６が再生不能化された状態のブロック図
【図７】プログラムナビ／タイトル一覧画面の表示例を示す図
【図８】プログラムナビ／サムネイル画面の表示例を示す図
【図９（ａ）】デジタル放送を記録した直後の状態を示すブロック図
【図９（ｂ）】蓄積ファイル１０４を、第１の記録媒体１０８にムーブし、蓄積ファイル１０４が再生不能化された状態のブロック図
【図９（ｃ）】蓄積ファイル１０４を、第１の記録媒体１０８にムーブし、さらに、第１のムーブ用蓄積ファイル１０５が第２の記録媒体１１１にムーブされた状態のブロック図
【図１０】プログラムナビ／タイトル一覧画面の表示例を示す図
【図１１】プログラムナビ／サムネイル画面の表示例を示す図
【図１２】表示が可能なファイルの編集結果を表示が禁止されているファイルに適用する場合の概念図
【図１３（ａ）】デジタル放送を記録した直後の状態を示すブロック図
【図１３（ｂ）】蓄積ファイル１０４を、第１の記録媒体１０８にムーブし、蓄積ファイル１０４が再生不能化された状態のブロック図
【図１３（ｃ）】蓄積ファイル１０４を、第１の記録媒体１０８にムーブし、さらに、第１のムーブ用蓄積ファイル１０５が第２の記録媒体１１１にムーブされた状態のブロック図
【図１４】プログラムナビ／タイトル一覧画面の表示例を示す図
【図１５】プログラムナビ／サムネイル画面の表示例を示す図
【図１６（ａ）】デジタル放送を記録した直後の状態を示すブロック図
【図１６（ｂ）】蓄積ファイル１０４を、第１の記録媒体１０８にムーブし、蓄積ファイル１０４が再生不能化された状態のブロック図
【図１６（ｃ）】第２のムーブ用蓄積ファイル１０６が第３の記録媒体１１４にムーブされ、第２のムーブ用蓄積ファイル１０６が再生不能化された状態のブロック図
【図１７】プログラムナビ／タイトル一覧画面の表示例を示す図
【図１８】プログラムナビ／サムネイル画面の表示例を示す図
【図１９】従来の蓄積記録装置のブロック図
【符号の説明】
【０１１０】
１０１    蓄積記録装置
１０２    受信手段
１０３    蓄積手段
１０４    蓄積ファイル
１０５    第１のムーブ用蓄積ファイル
１０６    第２のムーブ用蓄積ファイル
１０７    第１の記録媒体ドライブ手段
１０８    第１の記録媒体
１０９    第１の記録ファイル
１１０    第２の記録媒体ドライブ手段
１１１    第２の記録媒体
１１２    第２の記録ファイル
１１３    第３の記録媒体ドライブ手段
１１４    第３の記録媒体
１１５    第３の記録媒体１１４上に記録された第３の記録ファイル
１１６    再生手段
１１７    ユーザインターフェイス手段
２０１    表示映像生成手段
２０２    合成手段
２０３    受信手段
２０４    表示装置
２０５    リモートコントローラ
２０６    機能選択キー
２０７    上向矢印キー
２０８    下向矢印キー
２０９    左向矢印キー
２１０    右向矢印キー
２１１    決定キー
２１２    番組表キー
２１３    プログラムナビキー
２１４    停止キー
２１５    再生キー
５０１    タイトル一覧
４０２    サムネイル
１２０１    蓄積ファイル用プレイリスト
１１０２    第１のムーブ用蓄積ファイル用プレイリスト
【図１】
2006244603.tif 000003
【図２】
2006244603.tif 000004
【図３】
2006244603.tif 000005
【図４】
2006244603.tif 000006
【図５】
2006244603.tif 000007
【図６（ａ）】
2006244603.tif 000008
【図６（ｂ）】
2006244603.tif 000009
【図６（ｃ）】
2006244603.tif 000010
【図７】
2006244603.tif 000011
【図８】
2006244603.tif 000012
【図９（ａ）】
2006244603.tif 000013
【図９（ｂ）】
2006244603.tif 000014
【図９（ｃ）】
2006244603.tif 000015
【図１０】
2006244603.tif 000016
【図１１】
2006244603.tif 000017
【図１２】
2006244603.tif 000018
【図１３（ａ）】
2006244603.tif 000019
【図１３（ｂ）】
2006244603.tif 000020
【図１３（ｃ）】
2006244603.tif 000021
【図１４】
2006244603.tif 000022
【図１５】
2006244603.tif 000023
【図１６（ａ）】
2006244603.tif 000024
【図１６（ｂ）】
2006244603.tif 000025
【図１６（ｃ）】
2006244603.tif 000026
【図１７】
2006244603.tif 000027
【図１８】
2006244603.tif 000028
【図１９】
2006244603.tif 000029